(57)【特許請求の範囲】
【請求項１】
冷蔵庫の運転状態を表示する表示部と、使用者の指令が入力される入力装置と、を含むディスプレイ部を用意するステップと、
透明材質部材の裏面を設定された色で着色し、前記表示部と接する部分は透明に形成され、前記入力装置に接する部分に該当する部分には入力表示が印刷された前面装飾部を用意するステップと、
前記前面装飾部の両側端部に、ドアの両側面を形成するようにドア装飾部をそれぞれ結合するステップと、
前記前面装飾部と前記ドア装飾部が相互に結合された状態で、前記前面装飾部の上下端部に、ドアの上下面を形成するようにキャップ装飾部をそれぞれ結合するステップと、
前記前面装飾部とドア装飾部及びキャップ装飾部により形成される空間に発泡液を注入するステップと、
前記発泡液が固化する前に前記前面装飾部の後方にドアライナーを結合するステップと、
を含み、
前記ディスプレイ部は、前記前面装飾部と固化された前記発泡液との間に配置されることを特徴とする冷蔵庫ドアの製造方法。
【請求項２】
前記ディスプレイ部は、前記発泡液を注入するステップ以前に前記前面装飾部の裏面に設置されることを特徴とする請求項１に記載の冷蔵庫ドアの製造方法。
【請求項３】
前記ディスプレイ部が設置された後に、前記ドア装飾部を結合するステップが行われることを特徴とする請求項２に記載の冷蔵庫ドアの製造方法。
【請求項４】
前記表示部の周縁部には、前記前面装飾部の裏面に着色された色と同一色で着色される着色部が形成されることを特徴とする請求項１に記載の冷蔵庫ドアの製造方法。
【請求項５】
前記前面装飾部の透明部分と、前記表示部との間に発生する微細な隙間が外部から見られないように、前記前面装飾部の透明部分が前記着色部と一部重なることを特徴とする請求項４に記載の冷蔵庫ドアの製造方法。
【発明の詳細な説明】
【技術分野】
【０００１】
本発明は、ドア前面が一つの透明部材からなる冷蔵庫ドア及びその製造方法に関し、より詳しくは、ドアの前面が透明プレートとなり、ディスプレイ部が突出せず、透明プレートの内部に設置される冷蔵庫ドア及びその製造方法に関する。
【背景技術】
【０００２】
一般に、冷蔵庫には、冷蔵庫の運転状態を使用者に知らせ、使用者が入力する入力情報に応じて冷蔵庫を調節可能なディスプレイ部が設置される。一方、最近、冷蔵庫の外観を高級にさせるため、ガラスからなる外装材を使用している。しかしながら、上述したようなディスプレイ部を設置しなければならないので、ドアの前面をガラス外装材とすることができなかった。
【０００３】
図１は、従来のディスプレイ部が設置された冷蔵庫の様子を示す正面図であり、図２は、従来のディスプレイ部が設置された冷蔵庫ドアの構成を示す分解斜視図である。
これらに図示するように、冷蔵庫用ドア１０の前面の外観を外側ドア１１が形成する。また、前記外側ドア１１の後方には、前記ドア１０の背面を形成するドアライナー１３が結合される。また、前記外側ドア１１とドアライナー１３との間には、断熱層（図示せず）が形成される。
【０００４】
一方、前記外側ドア１１とドアライナー１３の上下端には、前記ドア１０の上下面の外観を形成する一対のキャップ装飾部１５がそれぞれ結合される。
【０００５】
前記キャップ装飾部１５は、左右に長く形成されるキャップ本体１６と、前記キャップ本体１６の底面の周縁にて折り曲げられ、所定の長さだけ延長する周縁部１７とで構成される。したがって、前記キャップ装飾部１５の内部には、前記キャップ本体１６と周縁部１７により、下方または上方に開口する所定の空間が形成される。
前記外側ドア１１とドアライナー１３、また、キャップ装飾部１５の両側には、一対のドア装飾部２１が結合される。
【０００６】
前記ドア装飾部２１は、上下に長く形成される側面部２２と、前記側面部２２の前端部から折り曲げられて延長する締付フック２４とで形成される。前記側面部２２は、前記ドア１０の側面の外観を形成し、前記締付フック２４には、後述するフロントプレート２９及びディスプレイ組立体の両側縁がそれぞれ挿入される締付溝２４ａが、互いに対向する方向に開口して形成される。
【０００７】
前記キャップ装飾部１５とドア装飾部２１は、多数個のスクリュー（図示せず）により固定される。すなわち、前記キャップ装飾部１５を貫通したスクリューが、前記キャップ装飾部１５とドア装飾部２１とを互いに固定させる。
【０００８】
一方、前記外側ドア１１の前面には、フロントプレート２９が設置される。前記フロントプレート２９は、前記ドア１０の前面の外観を良好にするためのものであり、コート処理されたガラス板で形成される。また、前記締付溝２４ａに、その両側縁が挿入されて固定される。前記フロントプレート２９の高さは、前記外側ドア１１の高さよりも短く作製され、後述するディスプレイ組立体が設置されるようにする。
【０００９】
前記フロントプレートの下端には、ディスプレイ組立体３０が設置される。前記ディスプレイ組立体は、冷蔵庫の運転状態を示す表示部と、冷蔵庫の運転状態を調節する調節部とを含んで構成される。
【発明の概要】
【発明が解決しようとする課題】
【００１０】
しかしながら、上述したような従来技術には、以下のような問題点があった。
【００１１】
すなわち、ディスプレイ組立体が別途に作製されて設置されるため、フロントプレートと一体感のある外観が得られないという問題点があった。
【００１２】
また、従来技術では、ディスプレイ組立体が突出して設置されるため、フロントプレートと一体感のある外観が得られず、ディスプレイ組立体の表示部及び調節部に異物が入り込み、故障の原因となることもあり、前面がガラスからなる冷蔵庫が必要となった。 
【００１３】
一方、前記前面が透明プレートからなる冷蔵庫を作製するためには、ディスプレイ部が前面装飾部の内部に設置されなければならないが、前記ディスプレイ部が前面装飾部の正確な位置に安定的に安着する構造を提供しなければならない必要性があった。
【００１４】
したがって、本発明は、上述した従来の問題点を解決するためのものであり、本発明の目的は、冷蔵庫の前面が一つの透明プレートで形成される冷蔵庫ドアに関する構造を提供することにある。
【００１５】
本発明の他の目的は、冷蔵庫のディスプレイ部が外部と隔離して、掃除等が容易であり、湿気や塵等が浸透しない冷蔵庫ドアの構造を提供することにある。
【００１６】
本発明のまた他の目的は、また他のドア本体にディスプレイ部が収納される所定の空間を設け、ディスプレイ部がディスプレイ収納部に安定的に安着する冷蔵庫ドアの構造を提供することにある。
【００１７】
本発明のまた他の目的は、前面が一つの透明部材で形成されながらも、部品数が節減するように構成される冷蔵庫ドア及びその製造方法を提供することにある。
【課題を解決するための手段】
【００１８】
上記の目的を達成するための本発明の特徴によると、本発明は、前面に所定の大きさに窪んで形成されたディスプレイ収納部を有する外側ドアと、前記ディスプレイ収納部に挿入され、冷蔵庫の運転状態を表示し調節するディスプレイ部と、透明なプレートで形成され、前記外側ドア及びディスプレイ部の前方に位置し、冷蔵庫ドアの前面を構成する前面装飾部と、を備えて構成される。
【００１９】
この際、前記前面装飾部は、プラスチック部材またはガラス部材で形成されてもよい。
【００２０】
また、前記ディスプレイ部は、冷蔵庫の運転状態を表示する表示部と、使用者の指令を入力される入力部と、を備え、前記前面装飾部は、背面が表現しようとする色に着色されるが、前記表示部と接する部分は透明に形成され、入力部に接する部分には入力表示が印刷される。
【００２１】
また、本発明は、前記外側ドアの背面に設けられ、前記外側ドアとの間に断熱層を設け、冷蔵庫ドアの背面を形成するドアライナーと、前記外側ドア及びドアライナーの上下部に設けられ、上下面の外観を形成する一対のキャップ装飾部と、前記外側ドア及びドアライナーの両側に結合され、両側面の外観を形成する一対のドア装飾部と、をさらに備えてもよい。
【００２２】
ここで、前記キャップ装飾部とドア装飾部には締付溝が形成され、前記前面装飾部は、前記キャップ装飾部とドア装飾部の締付溝に挟持される。
【００２３】
一方、本発明は、前記ディスプレイ収納部の側面は、段差を有して形成されて安着面が形成され、前記ディスプレイ部の背面は、前記ディスプレイ収納部に対応する段差を有して形成され、前記安着面に前記ディスプレイ背面が安着するように形成されてもよい。
【００２４】
この際、前記安着面には、弾性体で形成される緩衝部材が設けられてもよい。
【００２５】
一方、本発明は、前記ディスプレイ収納部の下端に設置され、前記ディスプレイ部を上方に弾性支持する弾性部材をさらに有してもよい。
【００２６】
この際、前記弾性部材は、弾性体が屈曲して折り曲げられて形成された弾性リブであってもよい。
【００２７】
また、前記ディスプレイ部の下端面には、前記弾性リブが安着可能な安着溝が形成されてもよい。
【００２８】
一方、本発明は、前記ディスプレイ収納部の側面には、突出したガイド突起が形成され、前記ディスプレイ部の側面には、前記ディスプレイ部が前記ディスプレイ収納部に挿入されるとき、前記ガイド突起の移動を案内するガイド溝が形成されてもよい。
【００２９】
または、本発明は、前記ディスプレイ部の側面には、突出したガイド突起が形成され、前記ディスプレイ収納部の側面には、前記ディスプレイ部の挿入時、前記ガイド突起の移動を案内するガイド溝が形成されてもよい。
【００３０】
この際、前記ガイド溝と前記ガイド突起は、前記ディスプレイ部と前記ディスプレイ収納部の両側面に設けられてもよい。
【００３１】
また、前記ガイド溝は、前記ディスプレイ部が回動しながら、前記ガイド突起が挿入されるように、前記ディスプレイ部の挿入形態に沿って曲線状に形成される。
一方、本発明は、前記ディスプレイ部の両側面には、前記ディスプレイ部から延長した支持プレートが形成され、前記ディスプレイ収納部の両側面には、前記支持プレートが安着するように、前記支持プレートに対応する大きさに窪んだ支持プレート挿入部が形成され、前記支持プレートが前記外側ドアに固定され、前記ディスプレイ部がディスプレイ挿入部に固定されてもよい。
【００３２】
この際、本発明は、前記外側ドアの背面に設けられ、前記外側ドアとの間に断熱層を設け、冷蔵庫ドアの背面を形成するドアライナーと、前記外側ドア及びドアライナーの上下部に設けられ、上下面の外観を形成する一対のキャップ装飾部と、前記外側ドアとドアライナー及びキャップ装飾部の両側に結合され、両側面の外観を形成する一対のドア装飾部と、をさらに備え、前記ドア装飾部の内側には、前記支持プレートの上面に設けられ、前記支持プレートを貫通し、前記外側ドアにネジ止めされる固定プレートが延長して形成されてもよい。
【００３３】
また、前記固定プレートの前面のネジ止め部には、前記ネジの頭部が安着され、前面に突出しないように所定の大きさに窪んだネジ孔が形成される。
【００３４】
一方、本発明は、前面の外観を形成する前面装飾部と、前記前面装飾部の後方に設けられ、裏面の外観を形成するドアライナーと、前記前面装飾部の両側に結合され、両側面の外観を形成するドア装飾部と、前記前面装飾部の上下端に結合され、上下面の外観を形成するキャップ装飾部と、前記前面装飾部の裏面に設置されるディスプレイ部と、を備えて構成されてもよい。
【００３５】
この際、前記ディスプレイ部は、冷蔵庫の運転状態を表示する表示部と、使用者の指令を入力される入力部と、を備え、前記前面装飾部は、背面が表現しようとする色に着色されるが、前記表示部と接する部分は透明に形成され、入力部に接する部分には入力表示が印刷される。
【００３６】
また、前記前面装飾部の両側端部は、前記ドア装飾部の前端に設けられる締付溝にそれぞれ挿入され、前記前面装飾部の上下端部は、前記キャップ装飾部の周縁に設けられる結合溝に挿入されて支持される。
【００３７】
一方、本発明は、前面の外観を形成する前面装飾部の裏面にディスプレイ部を設置するステップと、前記前面装飾部の両側端部に、両側面の外観を形成するドア装飾部を結合するステップと、前記ドア装飾部が結合された前記前面装飾部の上下端部に、上下面の外観を形成するドア装飾部をそれぞれ結合するステップと、前記前面装飾部、ドア装飾部及びキャップ装飾部により形成される空間に発泡液を注入するステップと、前記前面装飾部の後方にドアライナーを結合するステップと、を含んで構成される。
【００３８】
一方、本発明の前記ディスプレイ部は、冷蔵庫の運転状態を表示し、周縁に沿って表現しようとする色が着色された表示部を備え、前記前面装飾部は、前記表示部に対応する部分は透明するが、前記表示部の着色した部分と一部重ねる部分を含めて、背面が前記ディスプレイ部の周縁の色相と同一の色相に着色されてもよい。
【００３９】
この際、前記表示部に着色された色相と、前記前面装飾部に着色された色相とは、同一である。
【発明の効果】
【００４０】
以上、詳述したような本発明では、以下のような効果を期待することができる。
【００４１】
すなわち、冷蔵庫ドアのディスプレイ部の前面が一つの透明プレートで形成されるので、冷蔵庫が全体的に統一され、かつ、奇麗なイメージを示すという長所がある。
【００４２】
また、本発明による冷蔵庫のディスプレイ部は、外部と遮断され、前面装飾部の背面に設置されるので、湿気、塵等が浸透する恐れがなく、掃除の際に自由に水掃除等ができるという長所がある。
【００４３】
また、前面装飾部がプラスチック部材で形成された場合は、部材の重さが軽く、組立工程が容易になり、破損の恐れが少なく、作業効率が高くなるという長所がある。
【００４４】
また、本発明による冷蔵庫ドアは、ディスプレイ部とディスプレイ収納部の結合が２段に屈曲された周縁部からなるので、前記ディスプレイ部が前記ディスプレイ収納部に安定的に結合され得るという長所がある。
【００４５】
また、本発明は、弾性体からなる緩衝部材がディスプレイ部とディスプレイ収納部との間に設置されるので、冷蔵庫の運搬時や使用中にディスプレイ部を安定的に支持し、ディスプレイ部に加えられる衝撃を緩和させる長所がある。
【００４６】
また、本発明による冷蔵庫ドアは、ディスプレイ収納部をディスプレイ部よりもさらに大きく形成することができるので、ディスプレイ収納部の結合過程を容易に行うことができる上に、弾性リブが前記ディスプレイ部を上方へ押し上げるので、結合以降、前記ディスプレイ部の遊動を防ぐことができるという長所がある。
【００４７】
また、本発明は、前記ディスプレイ部が前記ディスプレイ収納部に挿入されるとき、前記弾性リブが締付音を発散するので、製造者は、前記締付音を聞いて、前記ディスプレイ部が完全に締め付けられることが確認できるという長所がある。
【００４８】
また、本発明による冷蔵庫ドアは、ディスプレイ部が前記ディスプレイ収納部に挿入されるとき、前記ガイド溝に沿って挿入されるので、挿入過程が容易になるという長所がある。
【００４９】
また、本発明では、前記ディスプレイ部を前記ディスプレイ収納部に挿入した後、前記ディスプレイ部が固定的に支持されるので、前記冷蔵庫の使用中に前記ディスプレイ部の結合位置が動く恐れがないという長所がある。
【００５０】
また、本発明による冷蔵庫ドアは、一体に作製されたディスプレイ部がディスプレイ収納部に固定される構造であるので、締付構造が単純であり、ディスプレイ装置の遊動及び分離の恐れが少ないという長所がある。
【００５１】
一方、本発明による冷蔵庫ドアは、その前後面、両側面、上下面の外観をそれぞれ形成する前記装飾部とドアライナー、ドア装飾部、キャップ装飾部で構成される。したがって、前記ドアを構成する部品数が減少することにより、より安価で前記ドアを生産することができる。
【００５２】
また、本発明による冷蔵庫ドアは、ディスプレイ部の表示部の周縁に前面装飾部と同一の色相に着色して、表示部の周縁部と前面装飾部の透明部分が正確に一致せずに若干の不一致が発生しても、外部からこれが見られない。したがって、このような隙間が機能上の問題がない微細な隙間である場合、前記隙間による製品の不良を減らすことができるという長所がある。
【図面の簡単な説明】
【００５３】
【図１】従来の冷蔵庫を示す正面図である。
【図２】従来の冷蔵庫ドアの構成を示す分解斜視図である。
【図３】本発明の好適な実施例による冷蔵庫ドアにディスプレイ部が設置された様子を示す分解斜視図である。
【図４】本発明の第１の実施例による冷蔵庫のドアを示す展開斜視図である。
【図５】本発明の第１の実施例による冷蔵庫のドアにディスプレイ部が装着された様子を示す詳細断面図である。
【図６】本発明の第２の実施例が採用された冷蔵庫ドアを示す分解斜視図である。
【図７】本発明の第２の実施例を構成するディスプレイが冷蔵庫ドアに結合された様子を示す側断面図である。
【図８】本発明の第２の実施例を構成するディスプレイが冷蔵庫ドアに結合された様子を示す側断面図である。
【図９】本発明の第３の実施例が採用された冷蔵庫ドアを示す分解斜視図である。
【図１０】本発明の第３の実施例を構成するディスプレイ部とディスプレイ収納部を示す拡大斜視図である。
【図１１】本発明の第３の実施例において、ガイド溝とガイド突起の設置位置を異にした実施例を示す拡大斜視図である。
【図１２】本発明の第４の実施例による冷蔵庫ドアを示す分解斜視図である。
【図１３】本発明の第４の実施例の構成をなすディスプレイ部とディスプレイ収納部、また、ドア装飾部を示す拡大斜視図である。
【図１４】本発明の第４の実施例により、支持プレートと固定プレートを通じて冷蔵庫本体とディスプレイ部が結合された様子を示す断面図である。
【図１５】本発明の第５の実施例による冷蔵庫用ドアを示す分解斜視図である。
【図１６】本発明の第５の実施例により冷蔵庫用ドアを製造する過程を示す作製フロー図である。
【図１７】本発明の第５の実施例により冷蔵庫用ドアを製造する過程を示す作製フロー図である。
【図１８】本発明の第５の実施例により冷蔵庫用ドアを製造する過程を示す作製フロー図である。
【図１９】本発明の第５の実施例により冷蔵庫用ドアを製造する過程を示す作製フロー図である。
【図２０】本発明の第５の実施例により冷蔵庫用ドアを製造する過程を示す作製フロー図である。
【図２１】本発明の第６の実施例が採用された冷蔵庫ドアを示す斜視図である
【図２２】本発明の第６の実施例によるディスプレイ装置が冷蔵庫ドアに装着された様子を示す正面図である。
【発明を実施するための形態】
【００５４】
図３は、本発明の好適な実施例による冷蔵庫ドアにディスプレイ部が設置された様子を示す分解斜視図である。
【００５５】
これに図示するように、本発明による好適な実施例は、ドアの前面を構成する外側ドア５０を有するが、前記外側ドア５０の両側には、所定の長さで折り曲げられ延長された延長部５２が形成される。前記外側ドア５０には、所定の空間が窪んで形成されたディスプレイ収納部６０が形成されるが、前記ディスプレイ収納部６０は、後述するディスプレイ部７０が設置される部分である。
【００５６】
前記外側ドア５０の背面には、冷蔵庫ドアの背面を形成するドアライナー５６が結合される。前記ドアライナー５６は、外側ドア５０の延長部５２に結合され、前記外側ドア５０とドアライナー５６との間に所定の空間を形成する。
【００５７】
前記外側ドア５０とドアライナー５６との間の空間には、断熱層（図示せず）が形成されるが、前記断熱層は、発泡樹脂などの発泡液が発泡されて形成される。
【００５８】
前記外側ドア５０とドアライナー５６との結合体の上端と下端には、ドアの上下端の外面を形成する一対のキャップ装飾部８０が挟まれる。前記キャップ装飾部８０は、左右に長く形成された装飾部本体８２と、周縁において一定の長さだけ折り曲げられて形成されたリブ８４とで構成される。図３に拡大して示すように、前記リブ８４は、３つが形成され、それぞれのリブ８４間に２つの溝を形成することが好ましい。このうち、内側溝８６は、上述した外側ドア５０とドアライナー５６の結合体が挟まれる部分であり、外側部に形成された溝（以下、「締付溝」という。）は、後述する前面装飾部９０が挟まれる部分である。
【００５９】
前記キャップ装飾部８０の左右側には、ドア装飾部８２が前記キャップ装飾部８０と端部を突き合わせ、前記外側ドア５０とドアライナー５６との結合体の左右側に挟まれて設置される。前記ドア装飾部８２は、原則的にキャップ装飾部８０と同一の断面形態に形成され、前方に前面装飾部９０が結合する結合溝を形成することが好ましい。
【００６０】
上述したように、外側ドア５０にドアライナー５６が結合され、これらを支持するキャップ装飾部８０とドア装飾部８２が結合してドアの胴体（以下「ドア組立体」という。）を形成する。
【００６１】
前記ドア組立体の前面に形成されているディスプレイ収納部６０には、ディスプレイ部７０が設置されるが、前記ディスプレイ部７０は、使用者に冷蔵庫の運転状態を知らせる表示部７４と、冷蔵庫の運転状態を調節する調節部７６とを備えて形成され、前記ディスプレイ収納部６０と対応する大きさに形成される。
【００６２】
前記ドア組立体にディスプレイ部７０が設置された以降、これらの前面には、前面装飾部９０が設置される。前記前面装飾部９０は、１枚の透明なプレートで形成され、前記前面装飾部９０の周りが、キャップ装飾部８０及びドア装飾部８２に形成された結合溝と締付溝８８にそれぞれ挟まれて設置される。前記前面装飾部９０の背面には、冷蔵庫の外観に表現しようとする色が塗られ、前記ディスプレイ部７０と接する部分は、前記ディスプレイ部７０を観察可能に透明窓９２が形成される。また、前記ディスプレイ部７０の入力部に対応する位置には、使用者が入力位置を把握できるように入力位置が印刷される。
【００６３】
一方、前記前面装飾部９０は、プラスチック部材で形成されてもよく、好ましくは、透明な１枚のプラスチック部材で形成され、背面に表現しようとする色が塗られる。
【００６４】
以下では、本発明による冷蔵庫ドアの作用について詳細に説明する。
【００６５】
本発明の好適な実施例により冷蔵庫を調節しようとする使用者は、前面装飾部９０に印刷された入力部を手で押す。この際、前記前面装飾部９０の背面に位置したディスプレイ部７０は、使用者の手が作り出す磁場または体温を感知して入力信号に変換させた後、これにより、冷蔵庫の運転状態を調節する。
【００６６】
一方、使用者が冷蔵庫の外観を掃除しようとする場合、ディスプレイ部７０から水が浸透する恐れがないので、ドアの前面を濡れ雑巾で拭くことができる。
発明の実施形態 
＜第１の実施例＞
以下では、上述したような本発明の第１の実施例について、添付図面を参照して詳細に説明する。
【００６７】
図４は、本発明の第１の実施例による冷蔵庫のドアを示す展開斜視図であり、図５は、本発明の第１の実施例による冷蔵庫のドアにディスプレイ部が装着された様子を示す詳細断面図である。
【００６８】
図示するように、本発明の第１の実施例は、本発明の好適な実施例と、ディスプレイ部１７０とディスプレイ収納部１６０の構造を除いては、同一の構造を有する。前記外側ドア１５０に窪んで形成されたディスプレイ収納部１６０は、前記ディスプレイ収納部１６０の内側縁が多段に折り曲げられて形成される。本発明の第１の実施例では、説明の便宜上、２段に折り曲げられて形成される実施例を中心に説明する。図５に示すように、前記２段の屈曲は、ディスプレイ収納部１６０の内側縁に安着空間１６２を形成し、前記安着空間１６２には、段差を有する安着面１６４が形成される。
【００６９】
前記ディスプレイ収納部１６０には、ディスプレイ部１７０が挿入される。前記ディスプレイ部１７０は、背面が前記ディスプレイ収納部１６０に形成された安着面１６４に正確に安着するように、前記ディスプレイ収納部１６０に対応して２段の段差をなして形成される。
【００７０】
上述のように、前記ディスプレイ部１７０が直接前記ディスプレイ収納部１６０に挿入されることも可能であるが、前記ディスプレイ収納部１６０と前記ディスプレイ部１７０との間に緩衝部材１７２を設置することが好ましい。
【００７１】
前記緩衝部材１７２は、前記安着面１６４に固定設置される弾性体を用いることが好ましく、前記ディスプレイ部１７０が結合されたとき、所定の弾性力を発揮し、前記ディスプレイ部１７０に加えられる衝撃を吸収し、前記ディスプレイ部１７０が動かないように支持することが好ましい。一方、前記ディスプレイ部１７０の前面両側は、両面テープ１７５等により、前記前面装飾部１９０に仮結合された後に組み立てられる。
【００７２】
以下では、本発明による冷蔵庫ドアの作用について、組立順序と使用順序により詳細に説明する。
【００７３】
本発明の第１の実施例による冷蔵庫ドアを組み立てるためには、先ず、外側ドア１５０に発泡液を塗り、前記発泡液が発泡される前に、ドアライナー１５６を結合させた後、上下にキャップ装飾部１８０を結合させ、前記発泡液が外部に流出しないようにした後、前記発泡液を発泡させる。
【００７４】
以降、前面装飾部１９０とディスプレイ部１７０を外側ドア１５０の前面に挟むようになるが、この際、ディスプレイ部１７０は、前記前面装飾部１９０の背面に両面テープ１７５等で仮固定させた状態である。前記前面装飾部１９０に仮固定されたディスプレイ部１７０を、前記前面装飾部１９０と共に前記外側ドア１５０の前面に挿入する。
【００７５】
それから、左右側面にドア装飾部１８２を結合してドアの組立を完成する。
【００７６】
このように組み立てた冷蔵庫ドアを使用しようとする者は、前面装飾部１９０に透明に形成された透明窓１９２から、前記ディスプレイ部１７０が示す表示を読むことができ、前記前面装飾部１９０に印刷されたボタン部（図示せず）に手を接触させ、入力信号を入力することができる。
＜第２の実施例＞
以下では、本発明の第２の実施例について、添付図面を参照して詳細に説明する。
【００７７】
図６は、本発明の第２の実施例が採用された冷蔵庫ドアを示す分解斜視図であり、図７は、本発明の第２の実施例を構成するディスプレイが冷蔵庫ドアに結合された様子を示す側断面図であり、図８は、本発明の第２の実施例を構成するディスプレイが冷蔵庫ドアに結合された様子を示す側断面図である。
【００７８】
本発明の第２の実施例は、ディスプレイ収納部２６０及びディスプレイ２７０を除いては、本発明の第２の実施例と同一の構造を有する。
【００７９】
外側ドア２５０の前面に形成されているディスプレイ収納部２６０には、ディスプレイ部２７０が設置されるが、前記ディスプレイ部２７０と前記ディスプレイ収納部２６０との間に、所定の余裕空間が存在するように形成される。これは、前記余裕空間に後述する弾性部材を設けるためである。
【００８０】
前記ディスプレイ収納部２６０の下端には、後述するディスプレイ部２７０を上方に弾性支持するための弾性部材が設置される。好ましくは、図７に示すように、前記弾性部材として、弾性体を屈曲して折り曲げて設置した弾性リブ２６２が用いられる。この際、前記弾性リブ２６２は、１つまたは多数個が形成されてもよい。
【００８１】
一方、前記ディスプレイ収納部２６０に前記弾性リブ２６２が設置された場合は、前記ディスプレイ部２７０の下端面に、前記弾性リブ２６２の屈曲部に対応する形態で形成され、前記弾性リブ２６２が安着可能な安着溝２６４が形成されることが好ましい。
【００８２】
以下では、本発明による冷蔵庫ドアについて、ディスプレイ部２７０の設置過程を通じて詳細に説明する。
【００８３】
本発明による冷蔵庫ディスプレイを組み立てようとする製造者は、先ず、前面装飾部２９０にディスプレイ部２７０を結合する。好ましくは、前記前面装飾部２９０とディスプレイ部２７０は、両面テープ２７５で仮固定させることが好ましいが、この際、前記ディスプレイ部２７０の表示部２７４と前記前面装飾部２９０の透明窓２９２が正確に一致するように結合させることが重要である。
【００８４】
前記ディスプレイ部２７０を前記前面装飾部２９０に取り付けた後、製造者は、図７に示すように、前記前面装飾部２９０の上端を、外側ドア２５０の上端に設けられたキャップ装飾部２８０に挟み込んだ後、前記前面装飾部２９０を移動させ、前記ディスプレイ部２７０を前記ディスプレイ収納部２６０に挿入する。
【００８５】
前記ディスプレイ部２７０が、前記ディスプレイ収納部２６０の内部に挿入されながら、前記ディスプレイ収納部２６０の下端に設置された弾性リブ２６２が押圧される。前記弾性リブ２６２は、押圧されながら、前記ディスプレイ部２７０を上方に押し上げ、前記ディスプレイ部２７０が完全に挿入されると、前記ディスプレイ部２７０の下端に設けられた安着溝２５４に前記弾性リブ２６２の屈曲部が安着するようになる。この際、弾性リブ２６２は、安着されると同時に締付音を出し、製造者は、前記締付音を聞くことにより、前記ディスプレイ部２７０が完全に挿入されたことが確認できる。
【００８６】
前記ディスプレイ部２７０を完全に挿入した後、前記ドア本体と前面装飾部２９０の左右側に１対のドア装飾部２８２を設置して組立を完了する。
＜第３の実施例＞
以下では、本発明の第３の実施例について、添付図面を参照して詳細に説明する。
【００８７】
図９は、本発明の第３の実施例が採用された冷蔵庫ドアを示す分解斜視図であり、図１０は、本発明の第３の実施例を構成するディスプレイ部とディスプレイ収納部を示す拡大斜視図であり、図１１は、本発明の第３の実施例において、ガイド溝とガイド突起の設置位置を異にした実施例を示す拡大斜視図である。
【００８８】
図１０及び図１１では、ディスプレイ部とディスプレイ収納部の構造を明確に示すために、ディスプレイ部の前面に取り付けられた前面装飾部を省略した。
【００８９】
これらに図示するように、本発明の第３の実施例では、ドアの前面を構成する外側ドア３５０を有するが、前記外側ドア３５０には、所定の空間が窪んで形成されたディスプレイ収納部３６０が形成される。前記ディスプレイ収納部３６０は、後述するディスプレイ３７０が設置される部分である。好ましくは、前記ディスプレイ収納部３６０は、後述するディスプレイ部３７０よりも若干大きく形成され、前記ディスプレイ部３７０の挿入が容易であるように形成される。
【００９０】
前記ディスプレイ収納部３６０の一側または両側には、ガイド突起３６２が形成されるが、前記ガイド突起３６２は、後述するガイド溝３６４に挟まれ、前記ディスプレイ部３７０の挿入を案内し、支持する部分である。
【００９１】
以下では、前記ガイド突起３６２が前記ディスプレイ収納部３６０の両側面に形成された場合を挙げて説明する。
【００９２】
前記ディスプレイ収納部３６０には、ディスプレイ部３７０が設置されるが、前記ディスプレイ部３７０は、使用者に冷蔵庫の運転状態を知らせる表示部３７４と、冷蔵庫の運転状態を調節する調節部３７６とを有して形成され、前記ディスプレイ収納部３６０と対応する形態で形成される。
【００９３】
前記ディスプレイ部３７０の両側面には、ガイド溝３６４が形成される。前記ガイド溝３６４は、前記ディスプレイ部３７０が挿入される運動方向に対応して形成され、前記ガイド突起３６２に挟まれ、前記ディスプレイ部３７０の挿入を案内する。したがって、前記ディスプレイ部３７０が前面装飾部に固定されたまま、前記前面装飾部３９０と共に結合される場合、前記ガイド溝３６４は、前記外側ドア３５０の上端に設けられるキャップ装飾部３８０を中心とする円弧の形態に形成することが好ましい。
【００９４】
また、前記ガイド溝３６４の末端は、前記ディスプレイ部３７０が最終的に固定される位置に対応して形成され、前記ディスプレイ部３７０が完全に挿入された後、前記ディスプレイ部３７０を支持するように形成される。
【００９５】
前記外側ドア３５０の前面には、前面装飾部３９０が設置される。この際、前記前面装飾部３９０は、前記ディスプレイ部３７０と両面テープ３７５により結合された状態で、前記ディスプレイ収納部３６０に挟まれるが、これは、前記表示部３７４と前記前面装飾部３９０に透明に形成された透明窓３９２の位置が正確に当てはまるようにするためである。
【００９６】
一方、本発明の第３の実施例は、ガイド突起とガイド溝の設置位置を異にして実施されてもよい。すなわち、図１１に示すように、前記ディスプレイ部３７０の両側面にガイド溝３６４’が形成され、前記ディスプレイ部３７０にガイド突起３６２’が形成される。
【００９７】
前記ガイド突起３６２’とガイド溝３６４’の設置位置は異なるが、それぞれの作用は、本発明の好適な実施例と同様である。
【００９８】
以下では、本発明の第３の実施例による冷蔵庫ドアの作用について、ディスプレイ部３７０の設置過程を通じて詳細に説明する。
【００９９】
本発明の第３の実施例により冷蔵庫を組み立てようとする使用者は、先ず、前面装飾部３９０にディスプレイ部３７０を結合する。好ましくは、前記前面装飾部３９０とディスプレイ部３７０は、両面テープ３７５で仮固定させることが好ましいが、この際、前記ディスプレイ部３７０の表示部３７４と、前記前面装飾部３９０の透明窓３９２が正確に一致するように結合させることが重要である。
【０１００】
前記ディスプレイ部３７０を前記前面装飾部３９０に取り付けた後、使用者は、前記ディスプレイ部３７０に設けられたガイド溝３６４に前記ディスプレイ収納部３６０の側面に設けられたガイド突起３６２を挟み込む。この際、前記ディスプレイ収納部３６０は、前記ディスプレイ部３７０よりも大きく形成され、前記ディスプレイ部３７０の挿入が容易であるようにすることが好ましいのは上述のとおりである。
【０１０１】
前記ガイド突起３６２が前記ガイド溝３６４に挟まれた後、使用者は、前記前面装飾部３９０をゆっくり押し、前記ディスプレイ部３７０を前記ディスプレイ収納部３６０に完全に挿入させる。
【０１０２】
前記ディスプレイ部３７０を完全に挿入した後、前記ドア本体と前面装飾部３９０の左右側に一対のドア装飾部３８２を設置して組立てを完了する。
＜第４の実施例＞
以下では、本発明の第４の実施例について、添付図面を参照して詳細に説明する。
【０１０３】
図１２は、本発明の第４の実施例による冷蔵庫ドアを示す分解斜視図であり、図１３は、本発明の第４の実施例の構成をなすディスプレイ部とディスプレイ収納部、また、ドア装飾部を示す拡大斜視図であり、図１４は、本発明の第４の実施例により、支持プレートと固定プレートを通じて、冷蔵庫本体とディスプレイ部が結合された様子を示す断面図である。
【０１０４】
これらに図示するように、本発明の第４の実施例は、本発明の好適な実施例と、ディスプレイ収納部とディスプレイ、及びドア装飾部を除いては、同一の構造を有する。
【０１０５】
本発明の第４の実施例のディスプレイ収納部４６０の両側面には、図１３に示すように、前記ディスプレイ収納部４６０よりも薄く窪んでドア本体の両側面まで延長され、後述する支持プレート４７３が挿入される支持プレート挿入部４６５が形成される。
【０１０６】
一方、前記支持プレート挿入部４６５には、螺合が可能な結合孔４６６が形成される。
【０１０７】
また、外側ドア４５０とドアライナー４５６の上端と両側面には、それぞれキャップ装飾部４８０とドア装飾部４８２が挟まれる。前記キャップ装飾部４８０及びドア装飾部４８２は、左右に長く形成された装飾部本体４８２と、周縁において一定の長さだけ折り曲げられて形成されたリブ４８４とで構成される。図１２に拡大して示すように、前記リブ４８４は、３つが形成され、それぞれのリブ４８４間に２つの溝を形成することが好ましい。このうち、内側溝４８６は、上述した外側ドア４５０とドアライナー４５６の結合体が挟まれる部分であり、締付溝４８８は、後述する前面装飾部４９０が挟まれる部分である。
【０１０８】
一方、前記ドア装飾部４８２の中間リブ４８４は、一部が延長された固定プレート４８７を有する。前記固定プレート４８７は、図１２及び図１３に示すように、前記ディスプレイ部４７０の支持プレート４７３に対応する位置に対応する幅と長さで形成されることが好ましい。
【０１０９】
前記ディスプレイ部４７０がディスプレイ収納部４６０に結合された後、ドア装飾部４８２を結合すると、前記固定プレート４８７は、前記支持プレート４７３上に位置するようになる。
【０１１０】
また、前記固定プレート４８７には、前記結合孔４６６及び後述する貫通孔４７５に対応するネジ止め孔４８９が形成される。前記ネジ止め孔４８９は、ネジが後述する貫通孔４７５を貫通して、前記結合孔４６６と螺合する部分である。
【０１１１】
また、前記ネジ止め孔４８９の前面は、所定の広さと深さで窪まれて形成されるが、これは、螺合後、ネジの頭部が固定プレート４８７の前面に突出しないようにするためである。
【０１１２】
前記支持プレート４７３は、図１３に示すように、前記ディスプレイ部４７０の両側面から所定の長さだけ外側に延長して形成され、前記結合孔４６６の位置に対応する位置において前記結合孔４６６と螺合可能に貫通孔４７５を含めて形成される。前記ディスプレイ部４７０が締め付けられた後、前記断熱層の最小厚さＤは、図１４に示すとおりである。
【０１１３】
以下では、本発明による冷蔵庫ドアの作用について、組立順序により詳細に説明する。
【０１１４】
本発明の第４の実施例による冷蔵庫ドアを組み立てるためには、先ず、ディスプレイ部４７０を、外側ドア４５０の前面に形成されたディスプレイ収納部４６０に結合させる。前記ディスプレイ収納部４６０に前記ディスプレイ部４７０を密着させて結合した後、ドア装飾部４８２を結合する。前記ドア装飾部４８２は、外側ドア４５０の両側面に結合するが、前記ドア装飾部４８２に形成された固定プレート４８７は、前記ディスプレイ部４７０の支持プレート４７３上に位置するようになる。その後、前記固定プレート４８７に形成されたネジ止め孔４８９にネジを入れ、前記支持プレート４７３の貫通孔４７５を貫通させ、外側ドア４５０の結合孔４６６と螺合する。
【０１１５】
前記ディスプレイ部４７０を前記ディスプレイ収納部４６０に結合した後は、これらの前面に前面装飾部４９０を結合する。
＜第５の実施例＞
以下では、本発明の第５の実施例について、添付図面を参照して詳細に説明する。
【０１１６】
図１５は、本発明の第５の実施例による冷蔵庫用ドアを示す分解斜視図である。
これに図示するように、本発明の第５の実施例は、本発明の好適な実施例とは異なり、外側ドアを有していない。すなわち、本発明の第５の実施例では、冷蔵庫ドアの前面の外観を前面装飾部５９０が形成する。前記前面装飾部５９０は、透明な１つのプレートで形成されるものであり、前記前面装飾部５９０は、所定の色に彩色され、または、所定の模様が入ってもよい。
【０１１７】
また、前記前面装飾部５９０の後方には、ドアライナー５５６が設けられる。前記ドアライナー５５６は、前記ドアの裏面の外観を形成するものであり、後述する発泡液が固化し、断熱層（図示せず）を形成する過程で、前記前面装飾部５９０の後方に固定される。
【０１１８】
前記前面装飾部５９０の両側端部には、ドア装飾部５８２が結合される。前記ドア装飾部５８２は、前記ドアの両側面の外観を形成するものであり、前記ドア装飾部５８２の互いに対向する一面には、それぞれ締付溝５８９が形成される。前記締付溝５８９は、上下に長く形成されるものであり、前記締付溝５８９には、前記前面装飾部５９０の両側端部がそれぞれ挿入される。
【０１１９】
前記前面装飾部５９０の上下端部には、キャップ装飾部５８０が結合される。前記キャップ装飾部５８０は、前記ドアの上下面の外観を形成するものであり、前記キャップ装飾部５８０の互いに対向する一面には、前記前面装飾部５９０の上下端部が挿入される結合溝５８８が形成される。また、前記キャップ装飾部５８０の両側には、前記ドア装飾部５８２の外側の上下端部がそれぞれ密着する。
【０１２０】
また、前記前面装飾部５９０の裏面には、ディスプレイ部５７０が設置される。前記ディスプレイ部５７０は、冷蔵庫の制御部（図示せず）と連結され、タッチスクリーン方式で、冷蔵庫の操作のための操作信号を入力され、冷蔵庫の動作と関連した各種の情報を外部に表示する役割をする。前記ディスプレイ部５７０は、前記前面装飾部５９０の裏面の一側に両面テープ（図示せず）により仮固定される。
【０１２１】
次に、本発明の第５の実施例による冷蔵庫ドアの製造方法について、添付図面を参照して詳細に説明する。
【０１２２】
図１６乃至図２０は、本発明の第５の実施例により冷蔵庫用ドアを製造する過程を示す作製フロー図である。
【０１２３】
先ず、図１６に示すように、前面装飾部５９０の裏面の一側にディスプレイ部５７０を設置する。この際、前記ディスプレイ部５７０は、両面テープまたは他の付着手段により、前記前面装飾部５９０の裏面に仮固定される。
【０１２４】
また、図１７に示すように、前記前面装飾部５９０の両側端部にドア装飾部５８２をそれぞれ結合させる。この際、前記前面装飾部５９０の両側端部は、前記ドア装飾部５８２の締付溝５８９にそれぞれ挿入される。
【０１２５】
また、図１８に示すように、前記ドア装飾部５８２が結合された前記前面装飾部５９０の上下端部にキャップ装飾部５８０をそれぞれ結合させる。この際、前記前面装飾部５９０の上下端部は、前記キャップ装飾部５８０の締付溝５８８に挿入され、前記ドア装飾部５８２の外側の上下端部は、前記キャップ装飾部５８０の両端部にそれぞれ密着する。
【０１２６】
このような状態で、図１９に示すように、前記ドア装飾部５８２とキャップ装飾部５８０が結合された前記前面装飾部５９０の前面が下方に向かうように位置させる。すなわち、前記前面装飾部５９０とドア装飾部５８２、キャップ装飾部５８０により形成される空間の開口した部分が、図面上、上方に向かうようになる。また、前記前面装飾部５９０、ドア装飾部５８２、キャップ装飾部５８０により形成される空間に発泡液を注入する。
【０１２７】
一方、図２０に示すように、前記発泡液の注入が完了すると、前記前面装飾部５９０、ドア装飾部５８２、キャップ装飾部５８０により形成される空間の開口した部分、すなわち、図面上、上面にドアライナー５５６を位置させる。また、前記ドアライナー５５６は、前記発泡液の固化により所定の位置に固定される。
＜第６の実施例＞
以下では、本発明の第６の実施例について、添付図面を参照して詳細に説明する。
【０１２８】
図２１は、本発明の第６の実施例が採用された冷蔵庫ドアを示す斜視図であり、図２２は、本発明の第６の実施例によるディスプレイ装置が冷蔵庫ドアに装着された様子を示す正面図である。
【０１２９】
これらに図示するように、本発明による第６の実施例は、使用者に冷蔵庫の運転状態を知らせる表示部６７４と、冷蔵庫の運転状態を調節する調節部６７６とを含めて構成されるディスプレイ部６７０を有する。この際、前記表示部６７４は、周縁に沿って所定の厚さだけ着色した着色部６７８を有する。前記着色部６７８は、後述する前面装飾部６９０に着色される色相と同一の色相に着色されることが好ましい。
【０１３０】
前記ディスプレイ部６７０の前面には、前面装飾部６９０が設置される。前記前面装飾部６９０の周りが、キャップ装飾部６８０に形成された結合溝６８９と、ドア装飾部６８２に形成された締付溝６８８にそれぞれ挟まれて設置される。前記前面装飾部６９０の背面には、冷蔵庫の外観に表現しようとする色が塗られ、これは、前記着色部６７８の色相と同一の色相に塗られることが好ましい。前記表示６７４に対応する部分には、前記表示部６７４を観察可能に透明窓６９２が形成される。また、前記ディスプレイ部６７０の調節部６７６に対応する位置には、使用者が入力位置６９４を把握可能に入力位置６９４が印刷される。この際、前記前面装飾部６９０の背面の透明部分は、前記着色部６７８とその周縁部が所定の厚さで重なるように形成される。
【０１３１】
前記前面装飾部６９０がディスプレイ部６７０の前面に設置されると、前記前面装飾部６９０の透明部分は、前記ディスプレイ部６７０の表示部６７４と同一の位置に位置する。この際、前記前面装飾部６９０の透明部分は、表示部６７４の着色部６７８と一部重なるように位置し、図２２に示すように、若干の重畳部６９６が発生するようになる。
【０１３２】
したがって、前記前面装飾部６９０の透明部分と前記表示部６７４との間に微細な隙間が発生しても、前記着色部６７８により、外部から見られないように設置される。
【０１３３】
本発明の権利は、上述した実施例に限定されず、特許請求の範囲に記載の内容により定義され、本発明の分野における通常の知識を有する者が特許請求の範囲に記載の権利範囲内で様々な変形と改作が可能であることは自明である。
【０１３４】
例えば、本明細書では、それぞれの実施例が独立的に実施されることを説明したが、それぞれの実施例が重複して適用されて本発明を実施することができるのは自明である。
【産業上の利用可能性】
【０１３５】
上述した構成を有する本発明によると、冷蔵庫の外観に突出した部分がないので、冷蔵庫の外観が奇麗であり、外観の掃除が容易になるという長所がある。また、前面が１つの透明プレートで形成される上に、ディスプレイ部が外側ドアに安定的に設けられ、前記ディスプレイ部の設置上の組立誤差が生じない。
【図１】
0005567536.tif 000002
【図２】
0005567536.tif 000003
【図３】
0005567536.tif 000004
【図４】
0005567536.tif 000005
【図５】
0005567536.tif 000006
【図６】
0005567536.tif 000007
【図７】
0005567536.tif 000008
【図８】
0005567536.tif 000009
【図９】
0005567536.tif 000010
【図１０】
0005567536.tif 000011
【図１１】
0005567536.tif 000012
【図１２】
0005567536.tif 000013
【図１３】
0005567536.tif 000014
【図１４】
0005567536.tif 000015
【図１５】
0005567536.tif 000016
【図１６】
0005567536.tif 000017
【図１７】
0005567536.tif 000018
【図１８】
0005567536.tif 000019
【図１９】
0005567536.tif 000020
【図２０】
0005567536.tif 000021
【図２１】
0005567536.tif 000022
【図２２】
0005567536.tif 000023